(57)【要約】      （修正有）【課題】アクティブタグのような無線通信端末において、データの送信の機会を増加させながら電力消費を低減させる。【解決手段】移動体に搭載され、受信したデータを出力可能である無線通信装置であって、無線通信装置又は他の移動体に搭載された無線通信装置と無線通信端末装置とが近接すると予想される期間での無線通信端末装置における受信状態時間の、近接期間の時間に対する比をより大きく決定し、無線通信装置と無線通信端末装置とが近接しないと予想される期間である非近接期間での受信状態時間の、非近接期間の時間に対する比をより小さく決定する制御手段５１と、無線通信端末装置より送信された受信確認信号を受信したことを確認すると、近接期間、非近接期間及び前記期間それぞれについて決定された比である設定値を無線通信端末装置に対して送信する送受信手段５２とを備える。【選択図】図６
2016100801.tif 000002
【特許請求の範囲】
【請求項１】
移動体に搭載され、受信したデータを出力可能である無線通信装置であって、
前記無線通信装置または他の移動体に搭載された無線通信装置と無線通信端末装置とが近接すると予想される期間での前記無線通信端末装置における受信状態時間の、前記近接期間の時間に対する比をより大きく決定し、前記無線通信装置と前記無線通信端末装置とが近接しないと予想される期間である非近接期間での前記受信状態時間の、前記非近接期間の時間に対する比をより小さく決定する制御手段と、
前記無線通信端末装置より送信された受信確認信号を受信したことを確認すると、前記近接期間、前記非近接期間、および前記期間それぞれについて前記決定された比である設定値を前記無線通信端末装置に対して送信する送受信手段と
を備えることを特徴とする無線通信装置。
【請求項２】
無線信号を受送信可能な受信状態と無線信号を受信不可能なスリープ状態とを時間的に交互に遷移し、無線通信装置が近傍に存在することを示す信号を受信すると前記無線通信装置に対してデータを送信する無線通信端末装置であって、
前記信号を受信すると、さらに、前記無線通信装置に対して受信確認信号を送信し、また、前記無線通信装置より送信された設定値を受信すると、前記設定値を自身に設定して、前記設定値に従って動作する
ことを特徴とする無線通信端末装置。
【請求項３】
前記制御手段は、さらに、隣接するデータ受信時刻と予測通信時刻あるいは予測通信時刻同士の間隔で送信されるデータ同士の間に有意な変化がないと予想される場合、前記第１のパラメータを前記設定前のものより小さくパラメータ設定値を決定する
ことを特徴とする請求項１に記載の無線通信装置。
【請求項４】
さらに、前記他の移動体と実際の移動状況またはデータ収集状況を通信し、
前記制御手段は、さらに、前記移動状況またはデータ収集状況を前記予測通信時刻に反映する
ことを特徴とする請求項１に記載の無線通信装置。
【請求項５】
請求項１、３または４に記載の無線通信装置と、
前記無線通信装置と前記送信および受信を行う請求項２に記載の無線通信端末装置と
を備えることを特徴とする無線通信システム。
【請求項６】
受信したデータを出力可能である移動体に搭載された無線通信装置の制御方法であって、
前記無線通信装置または他の移動体に搭載された無線通信装置と無線通信端末装置とが近接すると予想される期間での前記無線通信端末装置における受信状態時間の、前記近接期間の時間に対する比をより大きく決定し、前記無線通信装置と前記無線通信端末装置とが近接しないと予想される期間である非近接期間での前記受信状態時間の、前記非近接期間の時間に対する比をより小さく決定する制御工程と、
前記無線通信端末装置より送信された受信確認信号を前記無線通信装置にて受信したことを確認すると、前記近接期間、前記非近接期間、および前記期間それぞれについて前記決定された比である設定値を前記無線通信端末装置に対して送信する送受信工程と
を備えることを特徴とする制御方法。
【請求項７】
無線通信装置が近傍に存在することを示す信号を受信すると前記無線通信装置に対してデータを送信する無線通信端末装置の制御方法であって、
前記信号を受信すると、さらに、前記無線通信装置に対して受信確認信号を送信し、また、前記無線通信装置より送信された設定値を受信すると、前記設定値を前記無線通信端末装置に設定して、前記設定値に従って前記無線通信端末装置を動作させる
ことを特徴とする制御方法。
【請求項８】
前記制御工程は、さらに、隣接するデータ受信時刻と予測通信時刻あるいは予測通信時刻同士の間隔で送信されるデータ同士の間に有意な変化がないと予想される場合、前記第１のパラメータを前記設定前のものより小さくパラメータ設定値を決定する
ことを特徴とする請求項６に記載の制御方法。
【請求項９】
さらに、前記他の移動体と実際の移動状況またはデータ収集状況を通信し、
前記制御工程は、さらに、前記移動状況またはデータ収集状況を前記予測通信時刻に反映する
ことを特徴とする請求項６に記載の制御方法。
【請求項１０】
受信したデータを出力可能である移動体に搭載された無線通信装置と前記無線通信装置が近傍に存在することを示す信号を受信すると前記無線通信装置に対してデータを送信する無線通信端末装置とを含む無線通信システムの制御方法であって、
前記無線通信装置または他の移動体に搭載された無線通信装置と前記無線通信端末装置とが近接すると予想される期間での前記無線通信端末装置における受信状態時間の、前記近接期間の時間に対する比をより大きく決定し、前記無線通信装置と前記無線通信端末装置とが近接しないと予想される期間である非近接期間での前記受信状態時間の、前記非近接期間の時間に対する比をより小さく決定し、
前記無線通信端末装置より送信された受信確認信号を前記無線通信装置にて受信したことを確認すると、前記近接期間、前記非近接期間、および前記期間それぞれについて前記決定された比である設定値を前記無線通信端末装置に対して送信し、
前記信号を受信すると、さらに、前記無線通信装置に対して受信確認信号を送信し、また、前記無線通信装置より送信された前記設定値を受信すると、前記設定値を前記無線通信端末装置に設定して、前記設定値に従って前記無線通信端末装置を動作させる
ことを特徴とする制御方法。
【発明の詳細な説明】
【技術分野】
【０００１】
本発明は、無線通信装置、無線通信端末装置、無線通信システムおよび制御方法に関する。
【背景技術】
【０００２】
車の安全運転を支援する高度道路交通システム（ＩＴＳ）や列車内でのインターネット利用を実現する列車無線に代表されるように、近年、移動体を用いた無線通信の形態が増加している。ＩＴＳはIntelligent Transport Systemsの略称である。移動体を用いた無線通信の形態として、他に、道路、橋梁、トンネル、水道管などのインフラ設備に設置されたセンサより送信されるセンサデータを移動車両で収集する形態が検討されている。この形態でセンサデータを収集すれば、センサデータを中継局等で既存ネットワークへ送る設備の設置が不要となるため、インフラ設備関連の設置・維持管理において低コスト化や効率化が期待される。
【０００３】
ところで、移動体を用いた無線通信は、移動体とその通信相手とが近接する限られた時間で行われる。また、移動車両でのセンサデータ収集の形態においては、センサからセンサデータが常に周期的に送信されている場合がある。その場合、移動車両がセンサに近接していないときにもセンサからセンサデータが送信され、それに伴って電力が消費されるため、そのような電力消費を削減することが課題となる。
【０００４】
このような課題を解決する技術が非特許文献１に記載されている。すなわち、非特許文献１に記載のアクティブタグは、データの送信が可能で、無線信号を受信できる受信状態と無線信号を受信できないスリープ状態とを時間的に交互に遷移する。アクティブタグは、受信状態で移動体に搭載されたリーダからの送信要求信号を受信したときに、そのリーダに対して所定の時間、データの送信を行う。このデータ送信を行う状態を送信状態と呼ぶ。なお、アクティブタグの電力消費は、スリープ状態、受信状態、送信状態の順に大きくなる。このように、アクティブタグは送信要求信号を受信したときにだけデータの送信を行うため、非特許文献１に記載の技術によりデータ送信に伴う電力消費を削減することが可能となる。
【先行技術文献】
【非特許文献】
【０００５】
【非特許文献１】吉岡弘貴、坪井秀幸、伊藤俊夫、安藤篤也、中村宏之、“マンホール内設置ＲＦ‐ＩＤの省電力化に関する検討”、電子情報通信学会総合大会、２０１１年３月
【発明の概要】
【発明が解決しようとする課題】
【０００６】
非特許文献１に記載の技術によりデータ送信に伴う電力消費を削減することが可能となる。ところで、上述のように、アクティブタグは無線信号を受信できる受信状態と無線信号を受信できないスリープ状態とを時間的に交互に遷移する。そこで、アクティブタグの電力消費を低減するために、スリープ状態の時間を受信状態のものに比べて相対的に長く設定すると、アクティブタグが送信要求信号を受信して、データの送信を行える機会が減ってしまう。逆に、アクティブタグが送信要求信号を受信して、データの送信を行える機会を増加させるために、スリープ状態の時間を短く設定すると、アクティブタグの電力消費が増えてしまう。つまり、アクティブタグのような無線通信端末において、データの送信の機会を増加させながら電力消費を低減させることが課題である。
【０００７】
本発明の目的は、この課題を解決する無線通信装置、無線通信端末装置、無線通信システムおよび制御方法を提供することである。
【課題を解決するための手段】
【０００８】
本発明の無線通信装置は、移動体に搭載され、受信したデータを出力可能である無線通信装置であって、前記無線通信装置または他の移動体に搭載された無線通信装置と無線通信端末装置とが近接すると予想される期間での前記無線通信端末装置における受信状態時間の、前記近接期間の時間に対する比をより大きく決定し、前記無線通信装置と前記無線通信端末装置とが近接しないと予想される期間である非近接期間での前記受信状態時間の、前記非近接期間の時間に対する比をより小さく決定する制御手段と、前記無線通信端末装置より送信された受信確認信号を受信したことを確認すると、前記近接期間、前記非近接期間、および前記期間それぞれについて前記決定された比である設定値を前記無線通信端末装置に対して送信する送受信手段とを備えることを特徴とする。
【０００９】
本発明の制御方法は、受信したデータを出力可能である移動体に搭載された無線通信装置の制御方法であって、前記無線通信装置または他の移動体に搭載された無線通信装置と無線通信端末装置とが近接すると予想される期間での前記無線通信端末装置における受信状態時間の、前記近接期間の時間に対する比をより大きく決定し、前記無線通信装置と前記無線通信端末装置とが近接しないと予想される期間である非近接期間での前記受信状態時間の、前記非近接期間の時間に対する比をより小さく決定する制御工程と、前記無線通信端末装置より送信された受信確認信号を前記無線通信装置にて受信したことを確認すると、前記近接期間、前記非近接期間、および前記期間それぞれについて前記決定された比である設定値を前記無線通信端末装置に対して送信する送受信工程とを備えることを特徴とする。
【発明の効果】
【００１０】
本発明によれば、無線通信端末において、データの送信の機会を増加させながら電力消費を低減させることが可能となる。
【図面の簡単な説明】
【００１１】
【図１】第１の実施形態における無線通信システムの構成例を示す図である。
【図２】第１の実施形態における無線通信装置の構成例を示すブロック図である。
【図３】第１の実施形態における無線通信端末の構成例を示すブロック図である。
【図４Ａ】第１の実施形態における用語を説明する図である。
【図４Ｂ】第１の実施形態における用語を説明する図である。
【図５】第１の実施形態における無線システムの動作シーケンス例を示すシーケンスチャートである。
【図６】第２の実施形態における無線通信装置の構成例を示すブロック図である。
【発明を実施するための形態】
【００１２】
本発明の第１の実施形態について、図面を参照して説明する。
【００１３】
図１に本実施形態における無線通信システムの構成例を示す。本無線通信システムは、移動体１ａ、１ｂにそれぞれ搭載された無線通信装置１０ａ、１０ｂ、無線通信端末２０を含む。移動体１ａ、１ｂはそれぞれ互いに独立に移動し、無線通信端末２０と通信可能なその近傍を通過する。無線通信装置１０ａ、１０ｂはビーコンを送信し、無線通信端末２０の近傍で無線通信端末２０と通信を行う。無線通信端末２０はセンサ等のデータの送信が可能で、通常、無線信号を受信可能な受信状態と無線信号を受信不可能なスリープ状態とを時間的に交互に遷移する。また、無線通信端末２０は無線通信装置１０から送信されたビーコンを受信したときにその無線通信装置に対して所定時間、受信状態時にデータの送信を行う。
【００１４】
図２に本実施形態における無線通信装置１０（１０ａ、１０ｂ）の構成例を示す。無線通信装置１０は、メモリ部１１、制御部１２、送信処理部１３、受信処理部１４、無線送受信部１５、アンテナ１６を備える。
【００１５】
メモリ部１１は、移動体１ａまたは１ｂの移動情報、予測通信時刻、無線通信端末２０の起動に関するパラメータなどを記憶し、予測通信時刻、パラメータを制御部１２に出力する。メモリ部１１の記憶する移動情報、予測通信時刻、パラメータなどの具体例は後述する。
【００１６】
制御部１２は、メモリ部１１から取得した予測通信時刻およびパラメータを用いて、無線通信端末２０の起動に関するパラメータの設定値を決定し、その設定値を送信処理部１３に出力する。無線通信端末２０の起動に関するパラメータの設定値の具体例は後述する。また、制御部１２は、無線通信端末２０より送信された信号に含まれているデータまたはビーコン受信確認信号を受信処理部１４から取得し、それらを処理、出力可能にする。
【００１７】
送信処理部１３は、制御部１２から入力されたパラメータ設定値に対して符号化や変調などの処理を施してベースバンド帯の信号を生成し、そのベースバンド帯信号、ビーコン信号を無線送受信部１５に出力する。
【００１８】
受信処理部１４は、無線送受信部１５から入力されたベースバンド帯信号に対して復調や復号などの処理を施して無線通信端末２０より送信されたデータまたはビーコン受信確認信号を抽出し、それらを制御部１２に出力する。
【００１９】
無線送受信部１５は、送信処理部１３から入力されたベースバンド帯信号またはビーコン信号を無線周波数帯の信号に変換し、その無線周波数帯信号をアンテナ１６に出力する。また、無線送受信部１５は、アンテナ１６から入力された無線周波数帯信号をベースバンド帯の信号に変換し、そのベースバンド帯信号を受信処理部１４に出力する。
【００２０】
アンテナ１６は、無線送受信部１５から入力された無線周波数帯信号を送信し、また、無線通信端末２０より送信された無線周波数帯信号を受信し、それを無線送受信部１５に出力する。
【００２１】
図３に本実施形態における無線通信端末２０の構成例を示す。無線通信端末２０は、制御部２１、送信処理部２２、受信処理部２３、無線送受信部２４、アンテナ２５を備える。
【００２２】
制御部２１は、無線通信装置１０より送信されたビーコンが無線通信端末２０にて受信されたことを確認し、また、受信処理部２３から取得したパラメータ設定値を自身が参照可能に設定し、パラメータ設定値に従って無線通信端末２０を制御する。また、制御部２１は、センサ部（図示せず）からデータを取得し、さらに、センサ部から取得したデータ、ビーコン受信確認信号を送信処理部２２に出力する。
【００２３】
送信処理部２２は、制御部２１から入力されたデータまたはビーコン受信確認信号に対して符号化や変調などの処理を施してベースバンド帯の信号を生成し、そのベースバンド帯信号を無線送受信部２４に出力する。
【００２４】
受信処理部２３は、無線送受信部２４から入力された信号に対して復調や復号などの処理を施して無線通信装置１０より送信されたビーコン信号またはパラメータ設定値を抽出し、それらを制御部２１に出力する。
【００２５】
無線送受信部２４は、送信処理部２２から入力されたベースバンド帯信号を無線周波数帯の信号に変換し、その無線周波数帯信号をアンテナ２５に出力する。また、無線送受信部２４は、アンテナ２５から入力された無線周波数帯信号をベースバンド帯の信号に変換し、そのベースバンド帯信号を受信処理部２３に出力する。
【００２６】
アンテナ２５は、無線送受信部２４から入力された無線周波数帯信号を送信し、また、無線通信装置１０より送信された無線周波数帯信号を受信し、それを無線送受信部２４に出力する。
【００２７】
上述の構成例を踏まえ、本実施形態における無線通信システムの動作について、図４〜図５を参照して説明する。
【００２８】
予め、無線通信装置１０のメモリ部１１にユーザによる入力等により移動情報、予測通信時刻、無線通信端末２０の起動に関するパラメータなどが記憶されてあるものとする。移動情報としては、移動体１ａまたは１ｂの移動スケジュールが用いられる。移動スケジュールとは、例えば、移動車両でセンサデータを収集する無線通信システムにおける移動車両のデータ収集スケジュール、路線バスなどの公共交通機関における運行時刻表などである。予測通信時刻とは、移動スケジュールを用いて移動体１ａ、１ｂ（のアンテナ）が無線通信端末２０の近傍に入る（場合により複数回）と予測された時刻である（図４Ａ参照）。無線通信端末２０の起動に関するパラメータとは、無線通信端末２０にパラメータ設定値が設定された時点からの（複数の）予測通信時刻を含む時間軸上での受信状態およびスリープ状態の時間に関するものである（詳細後述）。なお、無線通信端末２０はパラメータ設定値の設定時点の前では無線信号を受信可能な受信状態と無線信号を受信不可能なスリープ状態とをそれぞれ一定時間、交互に遷移する。
【００２９】
ユーザによる所定の操作により、制御部１２がメモリ部１１から取得した予測通信時刻、パラメータを用いて、無線通信端末２０の起動に関するパラメータの設定値を決定する（Ｓ３１  図５（以降同様））。
【００３０】
パラメータとしては、例えば、次の３つがある。パラメータ（１）は、予測通信時刻からの無線通信装置１０が無線通信端末２０とその近傍にあって通信可能であると予測される時間での無線通信端末２０の受信状態にある時間（受信状態時間）のスリープ状態にある時間（スリープ状態時間）に対する比である。パラメータ（２）は、パラメータ設定時点から予測通信時刻までの間または隣接する予測通信期間の間（予測非通信期間（図４Ｂ参照））での受信状態時間のスリープ状態時間に対する比である。パラメータ（３）は、予測通信期間をその前または後に拡張する時間であり、必要に応じて設定する。なお、上記、予測通信時刻からの無線通信装置１０が無線通信端末２０とその近傍にあって通信可能であると予測される時間を予測通信期間（図４Ｂ参照）と呼ぶ。予測通信期間は、図４Ａにおいて移動体１が無線通信端末２０の近傍内を移動している期間である。
【００３１】
パラメータ（１）については、その比を設定時点前のものより大きく設定する（図４Ｂ参照）。この設定で、データ送信の機会が増加する。パラメータ（２）については、その比を設定時点前のものより小さく設定する（図４Ｂ参照）。この設定で、電力消費が低減される。パラメータ（３）については、ユーザにより補正指示が入力された場合、その予測通信期間を前後に拡張する、その補正指示による時間を設定する（図４Ｂ矢印１参照）。この設定で、予測通信期間の前後の想定される誤差をカバーする。また、隣接する予測通信時刻の間隔により、各予測通信時刻に対応する予測通信期間で送信されるデータ同士の間に有意な変化がないと予想される場合がある。この場合、いずれかのデータ送信の機会を削減して電力消費を低減するために、いずれかの予測通信期間で受信状態時間のスリープ状態時間に対する比をパラメータ（１）の設定値ではなく、パラメータ（２）の設定値等に設定してもよい（図４Ｂ矢印２参照）。なお、パラメータ設定指示等により各予測通信期間および予測非通信期間における受信状態とスリープ状態の時間長短の程度を調整することが可能である。パラメータ（１）とパラメータ（２）のパラメータは必須であるが、データ送信の機会を増加させ、電力消費を低減するためのものであれば、パラメータや設定変更は上記に限らない。
【００３２】
移動体１の移動中、無線通信装置１０が常にビーコンを送信する。無線通信端末２０は、所定の周期設定により、無線信号を受送信可能な受信状態と無線信号を受信不可能なスリープ状態とをそれぞれ一定の時間、交互に遷移している。移動体１が無線通信端末２０の近傍に入って無線通信端末２０が無線通信装置１０より送信されたビーコンを受信すると、制御部２１がセンサ部（図示せず）から取得したデータ、ビーコン受信確認信号を送信処理部２２に出力する（Ｓ３２）。送信処理部２２は制御部２１から入力されたデータおよびビーコン受信確認信号に対して符号化や変調などの処理を施してベースバンド帯の信号を生成し、そのベースバンド帯信号を上記の所定設定周期の受信状態で無線送受信部２４に出力する（Ｓ３３）。無線送受信部２４は送信処理部２２から入力されたベースバンド帯信号を無線周波数帯の信号に変換し、その無線周波数帯信号をアンテナ２５に出力する（Ｓ３４）。アンテナ２５は無線送受信部２４から入力された無線周波数帯信号を無線通信装置１０に対して送信する（Ｓ３５）。（同時に無線通信端末２０はセンサ等のデータの送信を行う。）無線通信装置１０は無線通信端末２０から送信されたビーコン受信確認信号を受信すると、制御部１２が無線通信端末２０の起動に関するパラメータの設定値を送信処理部１３に出力する（Ｓ３６）。（同時に無線通信装置１０はデータを受信することになるが、制御部１２のパラメータ設定値を出力するタイミングをデータ受信確認の前か後に設定することが可能である。）送信処理部１３は制御部１２から入力されたパラメータ設定値に対して符号化や変調などの処理を施してベースバンド帯の信号を生成し、そのベースバンド帯信号を無線送受信部１５に出力する（Ｓ３７）。無線送受信部１５は、送信処理部１３から入力されたベースバンド帯信号を無線周波数帯の信号に変換し、その無線周波数帯信号をアンテナ１６に出力する（Ｓ３８）。アンテナ１６は無線送受信部１５から入力された無線周波数帯信号を送信する（Ｓ３９）。無線通信端末２０は無線通信装置１０から送信されたパラメータ設定値を受信すると、制御部２１は、受信処理部２３から取得したパラメータ設定値を無線通信端末２０に設定する（Ｓ４０）。無線通信端末２０は、設定されたパラメータ設定値に従って、無線信号を受信可能な受信状態と無線信号を受信不可能なスリープ状態とを交互に遷移する（Ｓ４１）。
【００３３】
なお、無線通信装置１０ａがパラメータ設定値の送信を行うとすると、データ収集を行う移動体の移動情報は、それぞれデータ収集を行う移動体１ａについてのものの場合、移動体１ｂについてのものの場合、それら両方についてのものの場合がある。移動体１および無線通信装置１０の台数は２台に限らず１台、複数台でもよく、無線通信端末２０の台数は１台に限らず複数台でもよい。無線通信装置１０がパラメータ設定値を無線通信端末２０に送信するに当たり、以前にセンサ等のデータを無線端末２０より受信した時刻と予測通信時刻との間隔を考慮して適切な時刻間隔でデータの通信が行われるようにそのパラメータ設定値を変更してもよい。各移動体１の実際の移動状況またはデータ収集状況などを各移動体間で通信して予測通信時刻等の正確度を高めるようにしてもよい。そのようにするために各移動体間で通信する情報として、移動スケジュールに対する遅延時間、位置、平均移動速度などを用いてもよい。例えば、自移動体と後続移動体の位置から後続移動体との距離を算出し、それを後続移動体の平均移動速度で割り、その商をもとに後続移動体の予測通信時刻を補正する。他の情報として、他移動体より受信した信号の受信電力を用いても良い。例えば、他移動体より受信した信号の受信電力から他移動体との距離を算出する。一般的に、無線通信端末２１は複数あり、広い範囲に点在するため、直接、各無線通信端末２０にパラメータ設定値を設定することは大きな負担となる。本発明では、無線通信装置１０からパラメータ設定値を送信して無線通信端末２０に設定させるようにしているため、負担が少ない。
【００３４】
以上のように、無線通信装置１０と無線通信端末２０とが近接する時間に無線通信端末２０において受信状態にある時間（受信状態時間）のスリープ状態にある時間（スリープ状態時間）に対する比をそれに対応する設定の前のものより大きくする。また、その近接しない時間に受信状態時間のスリープ状態時間に対する比をそれに対応する設定の前のものより小さくする。そのため、無線通信端末２０にそのように動作を行わせるパラメータ設定値を無線通信装置１０から送信し、無線通信端末２０に設定させ、パラメータ設定値に従って動作させる。
【００３５】
これにより、無線通信端末において、データの送信の機会を増加させながら電力消費を低減させることが可能となる。
【００３６】
次に、本発明の第２の実施形態について、図面を参照して説明する。
【００３７】
図６は本実施形態における無線通信装置の構成例を示す。
【００３８】
無線通信装置５０は、制御部５１、送受信部５２を備える。無線通信装置５０は移動体に搭載され、ビーコン等を送信する。
【００３９】
制御部５１は、設定値を決定する。
【００４０】
送受信部５２は、無線通信端末装置に対して設定値を送信する。
【００４１】
上述の構成例を踏まえ、本実施形態における無線通信装置５０の動作例について、図６を参照して説明する。
【００４２】
ユーザによる所定の操作により、制御部５１が設定値を決定する。その設定の第１のパラメータは無線通信装置５０と無線通信端末装置とが近接すると予想される期間での無線通信端末装置における受信状態時間のその近接期間の時間に対する比である。第２のパラメータは近接しないと予想される期間である非近接期間での受信状態時間のその非近接期間の時間に対する比である。すなわち、制御部５１は第１のパラメータをその設定の前のものより大きく、第２のパラメータをその設定の前のものより小さく決定する。
【００４３】
自移動体の移動中、無線通信装置５０が常にビーコン等を送信する。自移動体が無線通信端末の近傍に入って無線通信端末が無線通信装置５０より送信されたビーコン等を受信すると、無線通信端末は無線通信装置５０に対して受信確認信号を送信する。
【００４４】
送受信部５２は、無線通信端末装置より送信された受信確認信号を受信したことを確認すると、無線通信端末装置に対して近接期間、非近接期間を含む設定値を送信する。無線通信端末は無線通信装置１１から送信された設定値を受信すると、その設定値を自身に設定して、その設定値に従って動作する。
【００４５】
以上のように、無線通信装置５０と無線通信端末とが近接する時間に無線通信端末において受信状態時間のスリープ状態時間に対する比をそれに対応する設定の前のものより大きくする。また、その近接しない時間に受信状態時間のスリープ状態時間に対する比をそれに対応する設定の前のものより小さくする。そのため、無線通信端末にそのように動作を行わせるパラメータ設定値を無線通信装置５０から送信し、無線通信端末に設定させ、パラメータ設定値に従って動作させる。
【００４６】
これにより、無線通信端末において、データの送信の機会を増加させながら電力消費を低減させることが可能となる。
【産業上の利用可能性】
【００４７】
本発明は、無線通信装置、無線通信端末装置、無線システムおよび制御方法に利用可能である。
【符号の説明】
【００４８】
１ａ、１ｂ    移動体
１０ａ、１０ｂ、５０    無線通信装置
２０    無線通信端末
１１    メモリ部
１２、２１、５１    制御部
１３、２２    送信処理部
１４、２３    受信処理部
１５、２４    無線送受信部
１６、２５    アンテナ
５２    送受信部
【図１】
2016100801.tif 000003
【図２】
2016100801.tif 000004
【図３】
2016100801.tif 000005
【図４Ａ】
2016100801.tif 000006
【図４Ｂ】
2016100801.tif 000007
【図５】
2016100801.tif 000008
【図６】
2016100801.tif 000009